(57)【特許請求の範囲】
【請求項１】
両端に口金を有する直管形ランプを、両端にソケットを配置してなる透光性シリンダの内部に装着してなる照明器具において、  
透光性シリンダ内に、所定のものより管径の小さい直管形ランプを装着する場合、直管形ランプの透光性シリンダの受側の口金部に高さ調整用のランプサポートを嵌着し、また同ランプサポートは、円筒環状体の外周に複数の突出部を一体構成したことを特徴とする照明器具。
【請求項２】
ソケットの蓋体のランプピン受側の挿入方向からの内面は、円弧状の曲面を有して構成したことを特徴とする請求項１記載の照明器具。
【請求項３】
ランプサポートは、突出部の外方側から内方側に向かって下方傾斜部を有して構成したことを特徴とする請求項１及び請求項２記載の照明器具。
【請求項４】
突出部と突出部によって放熱空間部が形成されるように構成したことを特徴とする請求項１乃至請求項３記載の照明器具。
【発明の詳細な説明】
【技術分野】
【０００１】
本発明はシリンダの内部に装着する照明器具の改良に関する。
【背景技術】
【０００２】
従来、例えば揮発性のある場所で使用する照明器具は、密閉性とするために透光性シリンダの内部に直管形の蛍光ランプを装着した構造のものが実施されている。（特許文献１参照）
また粉塵が舞う場所で使用する照明器具はランプを保護するために、例えば直管形の蛍光ランプを透光性シリンダの内部に装着する構造のものが実施されている。（特許文献２参照）
また寒冷地で使用する照明器具は、ランプを保温するために、例えば直管形の蛍光ランプを透光性シリンダの内部に装着する構造のものが実施されている。
【０００３】
【特許文献１】特開２００５−２６８１６３
【特許文献２】特開昭６１−２００６０２
【発明の開示】
【発明が解決しようとする課題】
【０００４】
ところで、透光性シリンダの内部に装着してなる直管形ランプをランプの寿命等に際して交換すると、作業が複雑となり、またランプ交換作業に手数を要する欠点がある。
また直管形ランプを透光性シリンダに挿入する場合に、直管形ランプのランプピンをソケットのランプピン挿入口に嵌入する必要がある。
しかるに、直管形ランプの管径は、例えば２５．５ｍｍ、２８．０ｍｍと、３２．５ｍｍのものがあり、異なる管径の直管形ランプを透光性シリンダの受側における直管形ランプのランプピンをソケットのランプピン挿入口に嵌入する作業に手数を要することとなる。
つまり、異なる管径のランプを同じ大きさのソケットに嵌入しようとすると、一方の管径のものは、ランプの自重があるので、ランプピンをランプピン挿入口に嵌入することが難しくなる。直管形ランプとしては、例えば直管形の蛍光ランプを用いて構成する。
【０００５】
本発明は上記した課題に鑑み発明したものであって、異なる管径の直管形ランプを容易に着脱することができる照明器具を提供することを目的する。
【課題を解決するための手段】
【０００６】
本発明は上記課題を解決するために請求項１は、両端に口金を有する直管形ランプを、両端にソケットを配置してなる透光性シリンダの内部に装着してなる照明器具において、
透光性シリンダ内に、所定のものより管径の小さい直管形ランプを装着する場合、透光性シリンダへの受側の口金部に高さ調整用のランプサポートを嵌着して構成してある。
また同ランプサポートは、円筒環状体の外周に複数の突出部を一体構成してある。
【０００７】
請求項２は、請求項１におけるソケットの蓋体のランプピン受側の挿入方向からの内面は、円弧状の曲面を有して構成してある。
【０００８】
請求項３は、請求項１及び請求項２におけるランプサポートは、突出部の外方側から内方側に向かって下方傾斜部を有して構成してある。
【０００９】
請求項４は、請求項３におけるランプサポートの突出部と突出部によって放熱空間部が形成されるように構成してある。
【発明の効果】
【００１０】
上記した請求項１によると、透光性シリンダ内に、管径の小さい直管形ランプを装着する場合、直管形ランプの口金部に高さ調整用のランプサポートを嵌着することにより、管径が小さい直管形ランプを容易に着脱することができる。
またランプサポートは、直管形ランプの口金部に嵌着し、直管形ランプの発光部にかからないので、光束は維持することが可能となる。
【００１１】
請求項２によると、ソケットの蓋体のランプピン受側の挿入方向からの内面を、円弧状の曲面を有して構成してあるので、直管形ランプを透光性シリンダの内部に嵌入していくと、ランプピンは円弧状の曲面に沿って容易にソケットのランプピン挿入口に嵌入する。
【００１２】
請求項３によると、ランプサポートの突出部は外方側から内方側に向かって下方傾斜部を有して構成してあるので、直管形ランプを透光性シリンダから取り出すときに、ランプサポートがシリンダに引っかかることがなく容易に取り出し作業を行うことができる。
【００１３】
請求項４によると、ランプサポートの突出部と突出部によって形成される放熱空間部から直管形ランプの透光性シリンダの内部の熱がソケットの内部空間に移動し、透光性シリンダの内部の温度上昇を抑止することができる。
【発明を実施するための最良の形態】
【００１４】
以下本発明の照明器具の最良の形態を図１乃至図１０について説明する。
【実施例１】
【００１５】
以下、本発明に係る実施例１を図１乃至図１０について説明する。図１は本発明に係る照明器具の全体を表す正面図、図２は図１の照明器具の一部切欠正面図である。図１及び図２において、１は照明器具本体、２、３は照明器具本体１の両端近傍に設けてなる筒状のホルダであって、２は直管形ランプを受ける側に配置してあり、３は直管型ランプを嵌入する側に配置してある。４、５は開閉蓋であって、ホルダに螺合するように構成してある。
６は直管形ランプを受ける側に配置したホルダに装着支持してなるソケット、７は直管形ランプを嵌入する側に配置したホルダに装着支持してなるソケットである。８は透光性シリンダであって、例えばガラスまたはプラスチックで４６ｍｍΦの大きさに構成してある。９は透光性シリンダの内部に装着する直管形ランプであって、例えば管径が２５．５ｍｍの直管形蛍光ランプと、２８．０ｍｍの直管形蛍光ランプと、管径が３２．５ｍｍの直管形蛍光ランプを用いる。また同直管形の蛍光ランプの長さは、１６ワットの場合は、５８５．５ｍｍ、３２ワットの場合は１１９８ｍｍとなる。１０は透光性シリンダを保護するためのガードである。
【００１６】
図３は本発明に係る直管形ランプを受ける側に配置したホルダに装着支持してなるソケットの一部切欠正面図、図４は図３に示すソケットの側面図である。図３において、２０はソケット本体、２１はソケット本体に対応する大きさに構成してなる蓋体であって、ランプピン挿入孔２２を有して構成してある。また同ランプピン挿入孔２２を中心として、ランプピン受側の挿入方向からの内面は、擂鉢状に傾斜した曲面を有して構成してある。２３はソケット本体２１の内面の凹部にネジ止めしてなる受金であって、ランプピンと対応する箇所はＶ字形の凹部２４を有して構成してある。また同受金２３の一部はソケット本体２０の外部に位置して構成し、直接電気的に接続し得るように構成してある。
【００１７】
図５は本発明に係る直管形ランプを嵌入側に配置してなるホルダに装着支持してなるソケットの一部切欠正面図、図６は図５に示すソケットの側面図である。図７は直管形ランプをソケットに支持したときの状態を示す一部切欠断面図である。図５及び図６において、３０はソケット本体、３１はソケット本体に対応する大きさに構成してなる蓋体であって、ランプピン挿入孔３２を有して構成してある。同ランプピン挿入孔３２は、直管形ランプの嵌入側であるので、直管形ランプの着脱作業の際に手元が見えるので、直管形ランプを受ける側と構造が異なり円形として構成してある。３３はソケット本体３１の内面の凹部にネジ止めしてなる受金であって、ランプピンを挿入支持する狭持部３４を有して構成してある。
【００１８】
図８はランプサポートの斜視図、図９は図８に示すランプサポートの側面図、図１０は図９に示すランプサポートの正面図である。図８乃至図１０において、４０は円筒環状のランプサポートであって、シリコンゴムで構成してある。同ランプサポート４０を直管形ランプの口金部に嵌着することにより、シリンダ内において、ランプピンの高さが調整され、管径が小さい直管形ランプを容易にソケットに装着することができる。また同ランプサポートは、直管形ランプの発光部にかからないので、所定の光束を維持することが可能となる。また同突出部４１は外方側から内方側に向かって下方傾斜部４２を有して構成してある。突出部４１に傾斜部４２を設けることにより、直管形ランプを透光性シリンダから取り出すときに、ランプサポートがシリンダに引っかかることがなく容易に取り出し作業を行うことができる。
【００１９】
４３はランプサポートの突出部４１と突出部４１によって形成される放熱空間部である。
同放熱空間部４３が構成されることにより、透光性シリンダの内部の熱がソケットの内部空間に流通し、透光性シリンダの内部の温度上昇を抑止することができる。
なお上記した透光性シリンダは１本で構成する構造の他、複数本を連接して構成してもよい。
【００２０】
次に上記した実施例１における直管型ランプの着脱について説明する。
[直管型ランプを装着する順序について]
（１）照明器具本体１の両端近傍の筒状のホルダ２と３の間に、透光性シリンダ８を配置し、また直管形ランプを受ける側に配置したホルダ２にソケット６を支持し、さらに嵌入側における直管形ランプにソケット７を支持する。
（２）次に直管形ランプの透光性シリンダ８への受側の口金部にランプサポート４０を嵌着し、直管形ランプを透光性シリンダ内に沿って挿入する。
この場合、ランプサポート４０によりランプピンの高さは調整され、ランプピンは円弧状の曲面に沿って進行し、容易にソケットのランプピン挿入口２２に嵌入する。
（３）かかる後、ホルダ３に蓋体５を螺合し、直管形ランプの装着作業を終了する。
【００２１】
[直管型ランプの取り外し順序について]
（１）直管形ランプの交換等に際して、直管形ランプを取り外すには、直管形ランプの嵌入側におけるホルダ３の蓋体５を取り外し、直管形ランプの嵌入側のソケット７と一緒に直管形ランプを引き出す。
（２）直管形ランプをソケット７と一緒に直管形ランプを引き出すと、ランプサポート４０の突出部は外方側から内方側に向かって傾斜部４２を有して構成してあるので、ランプサポートがシリンダ８に引っかかることがなく容易に取り出し作業を行うことができる。
【図面の簡単な説明】
【００２２】
【図１】本発明に係る照明器具の全体を表す正面図。
【図２】図１の照明器具の一部切欠正面図。
【図３】図２に示す直管型ランプを受ける側に配置したホルダに装着支持してなるソケットの一部切欠正面図。
【図４】図３に示すソケットの側面図。
【図５】本発明に係る直管型ランプを嵌入する側に配置してなるホルダに装着支持してなるソケットの一部切欠正面図。
【図６】図５に示すソケットの側面図。
【図７】直管型ランプをソケットに支持したときの状態を示す一部切欠断面図。
【図８】図８はランプサポートの斜視図。
【図９】図８に示すランプサポートの側面図。
【図１０】図９に示すランプサポートの正面図。
【符号の説明】
【００２３】
１  照明器具本体
２、３  ホルダ
４、５  開閉蓋
６、７  ソケット
８  透光性シリンダ
９  直管型ランプ
１０  ガード
２０、３０  ソケット本体
２１、３１  蓋体
２２、３２  ランプピン挿入孔
２３、３３  受金
２４  凹部
３４  狭持部
４０  ランプサポート
４１  突出部
４２  傾斜部
４３  放熱空間部
【図１】
0004518272.tif 000002
【図２】
0004518272.tif 000003
【図３】
0004518272.tif 000004
【図４】
0004518272.tif 000005
【図５】
0004518272.tif 000006
【図６】
0004518272.tif 000007
【図７】
0004518272.tif 000008
【図８】
0004518272.tif 000009
【図９】
0004518272.tif 000010
【図１０】
0004518272.tif 000011